(57)【要約】  複数の分離可能な部分により構成される展示される物品を展示するための物品展示台であって、前記物品展示台は、第１の支持部分と第２の支持部分を含む。前記第１の支持部分は、第１の配置部を含み、前記第１の配置部は前記分離可能な部分の中の少なくとも１つを第１の展示高さで支持するために用いられる。前記第２の支持部分は、第２の配置部を含み、前記第２の配置部は、前記分離可能な部分の少なくとも別の１つを第２の展示高さで支持するために用いられる。前記物品展示台は異なる配置部を用いて、展示される物品の異なる部分を設置するため、前記展示物品の異なる部分の混乱を回避することができ、よりよい展示効果を奏し、かつ参観者に良好的な参観、操作体験を提供することができる。
2017508543.tif 000002
【特許請求の範囲】
【請求項１】
航空機本体及び制御端末を含む航空機を展示するための物品展示台であって、
前記物品展示台は前記航空機本体を支持する第１の支持部分と、
前記制御端末を支持する第２の支持部分と、を備える
ことを特徴とする物品展示台。
【請求項２】
前記第１の支持部分は、前記航空機本体を第１の展示高さで支持する第１の配置部を含む
ことを特徴とする請求項１に記載の物品展示台。
【請求項３】
前記第２の支持部分は、前記制御端末を第２の展示高さで支持する第２の配置部を含む、
ことを特徴とする請求項２に記載の物品展示台。
【請求項４】
前記第２の展示高さは第１の展示高さと異なる
ことを特徴とする請求項３に記載の物品展示台。
【請求項５】
前記第２の展示高さは第１の展示高さと等しい
ことを特徴とする請求項３に記載の物品展示台。
【請求項６】
前記制御端末は、前記航空機本体における撮像装置、飛行装置及び安定化装置の中の少なくとも１つの動作を制御する携帯端末を含む
ことを特徴とする請求項３に記載の物品展示台。
【請求項７】
前記制御端末は、前記航空機本体における撮像装置、飛行装置及び安定化装置の中の少なくとも１つの状態及び関連情報を表示及びは検出することを少なくとも１つ対応する携帯端末を含む
ことを特徴とする請求項３に記載の物品展示台。
【請求項８】
前記第２の配置部は、前記携帯端末を第２の展示高さで支持するための第１の位置決め構造を含む
ことを特徴とする請求項６または７に記載の物品展示台。
【請求項９】
前記第２の配置部は第２の位置決め構造をさらに含み、前記第２の位置決め構造は第１の位置決め構造より高い
ことを特徴とする請求項６または７に記載の物品展示台。
【請求項１０】
前記携帯端末は前記第２の位置決め構造で支持される
ことを特徴とする請求項９に記載の物品展示台。
【請求項１１】
前記制御端末は、前記航空機本体における撮像装置、飛行装置及び安定化装置の中の少なくとも１つの動作を制御するためのリモートコントローラを含む
ことを特徴とする請求項３に記載の物品展示台。
【請求項１２】
前記第２の配置部は第２の位置決め構造をさらに含み、前記第２の位置決め構造は第１の位置決め構造より高い
ことを特徴とする請求項１１に記載の物品展示台。
【請求項１３】
前記リモートコントローラは前記第２の位置決め構造で支持される
ことを特徴とする請求項１２に記載の物品展示台。
【請求項１４】
前記制御端末は、携帯端末とリモートコントローラとを含み、
前記携帯端末は、前記航空機本体における撮像装置、飛行装置及び安定化装置の中の少なくとも１つの状態を表示及び検出することのうち少なくとも１つのために用いられており、
前記リモートコントローラは、前記航空機本体における撮像装置、飛行装置及び安定化装置の中の少なくとも１つの動作を制御するために用いられる
ことを特徴とする請求項３に記載の物品展示台。
【請求項１５】
前記第２の支持部分は、第１の位置決め構造と第２の位置決め構造を含み、
前記第１の位置決め構造は携帯端末とリモートコントローラの中の１つを支持し、前記第２の位置決め構造は携帯端末とリモートコントローラの中の他の１つを支持する
ことを特徴とする請求項１４に記載の物品展示台。
【請求項１６】
前記展示台は情報表示部をさらに含み、前記情報表示部は前記第２の支持部分上に位置する
ことを特徴とする請求項３に記載の物品展示台。
【請求項１７】
前記情報表示部は、ホルダと前記ホルダにより支持される表示装置とを含む
ことを特徴とする請求項１６に記載の物品展示台。
【請求項１８】
前記制御端末はさらに前記表示装置を制御するために用いられる
ことを特徴とする請求項請求項１７に記載の物品展示台。
【請求項１９】
第４の展示高さは前記第２の展示高さより高い
ことを特徴とする請求項１７に記載の物品展示台。
【請求項２０】
前記情報表示部は、表示装置に接続される無線通信ユニットを含み、前記表示装置は前記無線通信ユニットにより外部装置と情報の受け渡しを行うことを特徴とする請求項１６に記載の物品展示台。
【請求項２１】
前記展示台は発光部をさらに含み、前記発光部は前記展示台に必要な光源である
ことを特徴とする請求項１に記載の物品展示台。
【請求項２２】
前記発光部は光バンドであり、前記第１の支持部分と第２の支持部分との間に位置する
ことを特徴とする請求項２１に記載の物品展示台。
【請求項２３】
前記発光部は少なくとも１つの光源であり、前記少なくとも１つの光源は、前記航空機本体と制御端末の支持される部位に近接して位置する
ことを特徴とする請求項２１に記載の物品展示台。
【請求項２４】
前記第１の展示高さは１００ｃｍ〜１１５ｃｍの間にある
ことを特徴とする請求項２に記載の物品展示台。
【請求項２５】
前記第２の展示高さは９０ｃｍ〜１０５ｃｍの間にある
ことを特徴とする請求項３に記載の物品展示台。
【請求項２６】
前記第１の支持部分は、底部に位置する第１の脚部と、最上部に位置する第１の支持板と、前記第１の脚部及び前記第１の支持板を連結する第１の連結部とを含み、第１の配置面は前記第１の支持板の表面である
ことを特徴とする請求項１に記載の物品展示台。
【請求項２７】
前記第１の脚部「匚」字形、「Ｃ」字形、「Σ」字形又は「Π」字形をなす
ことを特徴とする請求項２６に記載の物品展示台。
【請求項２８】
前記第２の支持部分は、底部に位置する第２の脚部と、第２の支持板と、前記第２の脚部及び前記第２の支持板を連結する第２の連結部とを含み、第２の配置部は前記第２の支持板の表面である
ことを特徴とする請求項１に記載の物品展示台。
【請求項２９】
前記第２の支持部分は、底部に位置する第２の脚部と、第２の支持板と、前記第２の脚部及び前記第２の支持板を連結する第２の連結部とを含み、前記第２の配置部は前記第２の支持板の表面である
ことを特徴とする請求項３に記載の物品展示台。
【請求項３０】
前記第２の配置部は、前記第２の脚部の底面に対して予め設定された角度傾斜している
ことを特徴とする請求項２９に記載の物品展示台。
【請求項３１】
前記表示装置は１５０ｃｍ〜１９０ｃｍの間の高さで支持される
ことを特徴とする請求項１７に記載の物品展示台。
【請求項３２】
前記第１の位置決め構造は位置決め部及び阻止凸部を含み、
前記位置決め部は、前記携帯端末と協働して、前記携帯端末を前記第２の配置部に設置するために用いられ、前記阻止凸部は、前記携帯端末の傾斜を防止しかつ／又は前記携帯端末が前記第２の配置部に沿って摺動することを防止するために用いられており、
または、前記物品展示台の第１の位置決め構造は枠状構造であり、前記第１の位置決め構造は携帯端末をその内部に囲んで設ける
ことを特徴とする請求項８に記載の物品展示台。
【請求項３３】
前記第２の位置決め構造は取付ブロック及び複数の係止フックを含み、
前記取付ブロックは前記第２の配置部に固定して設置され、前記係止フックは前記取付ブロックに固定して設置され、リモートコントローラを保持するために用いられる
ことを特徴とする請求項９に記載の物品展示台。
【請求項３４】
複数の分離可能な部分により構成される展示される物品を展示するための物品展示台であって、第１の支持部分と第２の支持部分を含み、
前記第１の支持部分は、第１の配置部を含み、前記第１の配置部は前記分離可能な部分の中の少なくとも１つを第１の展示高さで支持するために用いられており、
前記第２の支持部分は、第２の配置部を含み、前記第２の配置部は、前記分離可能な部分の少なくとも別の１つを第２の展示高さで支持するために用いられる
ことを特徴とする請求項物品展示台。
【請求項３５】
前記第１の展示高さは前記第２の展示高さと異なる
ことを特徴とする請求項３４に記載の物品展示台。
【発明の詳細な説明】
【技術分野】
【０００１】
本発明は、物品展示の分野に関し、特に、無人航空機を展示するための物品展示台に関する。
【背景技術】
【０００２】
従来の物品展示台は一般的に、展示される物品を置くための単一の配置面を備える。前記展示される物品が複数の分離可能な部分を含む場合、前記複数の分離可能な部分がいずれも前記配置面に置かれることは、展示される物品の混乱を容易に引き起こし、展示の効果に影響を与える。
【発明の概要】
【発明が解決しようとする課題】
【０００３】
これを鑑みて、良好な展示効果を奏する物品展示台を提供する必要がある。
【課題を解決するための手段】
【０００４】
航空機本体及び制御端末を含む航空機を展示するための物品展示台であって、前記物品展示台は、前記航空機本体を支持するための第１の支持部分と、前記制御端末を支持するための第２の支持部分とを含む。
【０００５】
さらに、前記第１の支持部分は、前記航空機本体を第１の展示高さで支持する第１の配置部を含む。
【０００６】
さらに、前記第２の支持部分は、前記制御端末を第２の展示高さで支持する第２の配置部を含む。
【０００７】
さらに、前記第２の展示高さは第１の展示高さと異なる。
【０００８】
さらに、前記第２の展示高さは第１の展示高さと等しい。
【０００９】
さらに、前記制御端末は、前記航空機本体における撮像装置、飛行装置及び安定化装置の中の少なくとも１つの動作を制御するための携帯端末を含む。
【００１０】
さらに、前記制御端末は、前記航空機本体における撮像装置、飛行装置及び安定化装置の中の少なくとも１つの状態及び関連情報を表示及び／または検出するための携帯端末を含む。
【００１１】
さらに、前記第２の配置部は、前記携帯端末を第２の展示高さで支持するための第１の位置決め構造を含む。
【００１２】
さらに、前記第２の配置部は第２の位置決め構造をさらに含み、前記第２の位置決め構造は前記第１の位置決め構造より高い。
【００１３】
さらに、前記携帯端末は前記第２の位置決め構造で支持される。
【００１４】
さらに、前記制御端末は、前記航空機本体における撮像装置、飛行装置及び安定化装置の中の少なくとも１つの動作を制御するためのリモートコントローラを含む。
【００１５】
さらに、前記第２の配置部は第２の位置決め構造をさらに含み、前記第２の位置決め構造は前記第１の位置決め構造より高い。
【００１６】
さらに、前記リモートコントローラは前記第２の位置決め構造で支持される。
【００１７】
さらに、前記制御端末は携帯端末とリモートコントローラを含む。前記携帯端末は、前記航空機本体における撮像装置、飛行装置及び安定化装置の中の少なくとも１つの状態を表示及び／または検出するために用いられる。前記リモートコントローラは、前記航空機本体における撮像装置、飛行装置及び安定化装置の中の少なくとも１つの動作を制御するために用いられる。
【００１８】
さらに、前記第２の支持部分は、第１の位置決め構造と第２の位置決め構造を含む。前記第１の位置決め構造は携帯端末とリモートコントローラの中の１つを支持し、前記第２の位置決め構造は携帯端末とリモートコントローラの中の他の１つを支持する。
【００１９】
さらに、前記展示台は情報表示部をさらに含み、前記情報表示部は前記第２の支持部分上に位置する。
【００２０】
さらに、前記情報表示部は、ホルダと前記ホルダにより支持される表示装置とを含む。
【００２１】
さらに、前記制御端末はさらに前記表示装置を制御するために用いられる。
【００２２】
さらに、前記第４の展示高さは前記第２の展示高さより高い。
【００２３】
さらに、前記情報表示部は、前記表示装置に接続される無線通信ユニットを含み、前記表示装置は前記無線通信ユニットにより外部装置と情報の受け渡しを行うことができる。
【００２４】
さらに、前記展示台は発光部をさらに含み、前記発光部は前記展示台に必要な光源である。
【００２５】
さらに、前記発光部は光バンドであり、前記第１の支持部分と第２の支持部分の間に位置する。
【００２６】
さらに、前記発光部は少なくとも１つの光源であり、前記少なくとも１つの光源は、前記航空機本体と制御端末の支持される部位に近接して位置する。
【００２７】
さらに、前記第１の展示高さは１００ｃｍ〜１１５ｃｍの間にある。
【００２８】
さらに、前記第２の展示高さは９０ｃｍ〜１０５ｃｍの間にある。
【００２９】
さらに、前記第１の支持部分は、底部に位置する第１の脚部と、最上部に位置する第１の支持板と、前記第１の脚部及び前記第１の支持板を連結する第１の連結部とを含み、前記第１の配置面は前記第１の支持板の表面である。
【００３０】
さらに、前記第１の脚部は「匚」字形、「Ｃ」字形、「Σ」字形又は「Π」字形をなす。
【００３１】
さらに、前記第２の支持部分は、底部に位置する第２の脚部と、第２の支持板と、前記第２の脚部及び前記第２の支持板を連結する第２の連結部を含み、前記第２の配置部は前記第２の支持板の表面である。
【００３２】
さらに、前記第２の支持部分は、底部に位置する第２の脚部と、第２の支持板と、前記第２の脚部及び前記第２の支持板を連結する第２の連結部とを含み、前記第２の配置部は前記第２の支持板の表面である。
【００３３】
さらに、前記第２の配置部は、前記第２の脚部の底面に対して予め設定された角度傾斜する。
【００３４】
さらに、前記表示装置は１５０ｃｍ〜１９０ｃｍの間の高さで支持される。
【００３５】
さらに、前記第１の位置決め構造は位置決め部及び阻止凸部を含む。前記位置決め部は前記携帯端末と協働して、前記携帯端末を前記第２の配置部に設置するために用いられる。前記阻止凸部は、前記携帯端末の傾斜を防止しかつ／又は前記携帯端末が前記第２の配置部に沿って摺動することを防止するために用いられる。または、前記物品展示台の第１の位置決め構造は枠状構造であり、前記第１の位置決め構造は携帯端末をその内部に囲んで設ける。
【００３６】
さらに、前記第２の位置決め構造は取付ブロック及び複数の係止フックを含む。前記取付ブロックは前記第２の配置部に固定して設置され、前記係止フックは前記取付ブロックに固定して設置され、前記リモートコントローラを保持するために用いられる。
【００３７】
更なる物品展示台は、複数の分離可能な部分により構成される展示される物品を展示するために用いられ、第１の支持部分と第２の支持部分を含む。前記第１の支持部分は第１の配置部を含み、前記第１の配置部は前記分離可能な部分の中の少なくとも１つを第１の展示高さで支持するために用いられる。前記第２の支持部分は第２の配置部を含み、前記第２の配置部は前記分離可能な部分の少なくとも別の１つを第２の展示高さで支持するために用いられる。
【００３８】
さらに、前記第１の展示高さは前記第２の展示高さと異なる。
【００３９】
従来技術と比べて、前記物品展示台は異なる配置面を用いて、展示される物品の異なる部分を設置するため、前記展示物品の異なる部分の混乱を回避することができ、よりよい展示効果を奏し、かつ参観者に良好的な参観、操作体験を提供することができる。
【図面の簡単な説明】
【００４０】
【図１】図１は、本発明の一実施形態の物品展示台の斜視図である。
【図２】図２は、図１の物品展示台の左側面図である。
【図３】図３は、本発明の別の実施形態の物品展示台の斜視図である。
【符号の説明】
【００４１】
物品展示台    １００、２００
第１の支持部分    １０
第１の脚部    １１
第１の支持板    １２
第１の配置部    １２１
第１の連結部    １３
第２の支持部分    ２０
第２の脚部    ２１
第２の支持板    ２２
第２の配置部    ２２１
第１の位置決め構造    ２２２、２２２'
位置決め孔    ２２２１
阻止凸部    ２２２２
第２の位置決め構造    ２２３
取付ブロック    ２２３１
係止フック    ２２３２
第２の連結部    ２３
情報表示部    ２４
ホルダ    ２４１
表示装置    ２４２
取付枠    ２４３
無線通信ユニット    ２４４
【００４２】
以下、図面を参照して、本発明の実施形態について説明する。
【発明を実施するための形態】
【００４３】
本発明の物品展示台は、展示される物品を配置するために用いられ、特に複数の分離可能な部分により構成されたセット品を配置して、前記セット品の中の各分離可能な部分がいずれもよい参観、操作体験を得ることに適するが、これに限定されない。例えば、本発明の物品展示台は、航空機の航空機本体、撮像装置、携帯端末及び／又はリモートコントローラを同時に配置し展示して、前記航空機本体、前記撮像装置、前記携帯端末及び／又は前記リモートコントローラがそれぞれ最も快適な参観、操作高さ及び／又は角度を有することに用いることができる。
【００４４】
図１及び図２に示すように、本発明の実施形態の物品展示台１００は、第１の支持部分１０及び第２の支持部分２０を含む。前記第１の支持部分１０と前記第２の支持部分２０とは並置されている。本実施形態において、前記第１の支持部分１０と前記第２の支持部分２０とは固定して連結されている。他の実施形態において、前記第１の支持部分１０と前記第２の支持部分２０とは着脱可能に相互に接続されてもよく、または、前記第１の支持部分１０は前記第２の支持部分２０と機械的に連結されなくてもよい。
【００４５】
なお、前記第１の支持部分１０と前記第２の支持部分２０との相互の位置関係は、実際の展示要求又は参観、操作要求に応じて適切に変化されてもよい。例えば、前記第１の支持部分１０と前記第２の支持部分２０とは互いに、左右に予め設定された距離の間隔をあけて設置されたり、前後に予め設定された距離ずれて設置されたりする。前記第１の支持部分１０は、前記航空機本体を第１の展示高さで支持する。
【００４６】
前記第１の支持部分１０は略「匚」字形をなし、底部に位置する第１の脚部１１と、最上部に位置する第１の支持板１２と、前記第１の脚部１１及び前記第１の支持板１２を連結する第１の連結部１３とを含む。前記第１の脚部１１は前記第１の支持板１２に略平行であり、前記第１の連結部１３は、前記第１の脚部１１と前記第１の支持板１２とに略直交して前記第１の脚部１１と前記第１の支持板１２との間に設置されている。前記第１の脚部１１は、前記第１の支持部分１０が地面、デスクトップ、テラス面などの表面に設置されるときの支持脚であり、即ち、前記第１の脚部１１は前記第１の支持部分１０を安定的に配置するために用いられる。前記第１の支持板１２は第１の配置部１２１を有し、前記第１の配置部１２１は前記展示される物品の少なくとも１つの部分を置くために用いられる。本実施形態において、前記第１の配置部１２１は航空機の航空機本体及び撮像装置を置くために用いられる。本実施形態において、前記第１の配置部１２１は平面である。当然のことながら、必要ならば、前記第１の配置部１２１は曲面、係止溝、突起などの構造であってもよく、かつ前記第１の配置部１２１には展示される物品を位置決め及び／又は固定する位置決め構造（図示せず）が設置されてもよい。
【００４７】
なお、前記第１の支持部分１０は、例えば「工」字形、「Ｃ」形、「Σ」形、「Π」形のような他の湾曲形状をなしてもよい。前記第１の支持部分１０は折り曲げられた板状の構造を用い、前記物品展示台１００の全体的な重量を低減することができ、搬送及び輸送を容易にする。
【００４８】
本実施形態において、前記第１の支持部分１０は全体的な高さが９０ｃｍ〜１０５ｃｍの間にあり、航空機本体を１００ｃｍ〜１１５ｃｍの第１の展示高さ範囲内に支持することができる。前記第１の展示高さは、前記第１の支持部分１０上の前記航空機本体に対して参観、操作することに適する高さである。
【００４９】
前記第２の支持部分２０は略「己」字形をなし、底部に位置する第２の脚部２１と、第２の支持板２２と、前記第２の脚部２１及び前記第２の支持板２２を連結する第２の連結部２３と、情報表示部２４とを含む。前記第２の脚部２１は前記第２の連結部２３に略直交し、前記第２の支持板２２は前記第２の連結部２３に対して予め設定された角度傾斜している。本実施形態において、前記第２の支持板２２が前記第２の連結部２３に対して傾斜する角度は３０〜６０度である。前記情報表示部２４は、前記第２の支持板２２の前記第２の連結部２３から離反する一端に連結され、かつ前記情報表示部２４は前記第２の連結部２３に略直交している。
【００５０】
前記第２の脚部２１は前記第２の支持部分２０を安定的に配置するために用いられる。本実施形態において、前記第２の脚部２１の形状及び長さはそれぞれ前記第１の脚部１１の形状及び長さと略同じであり、前記第２の連結部２３の形状及び高さはそれぞれ第１の連結部１３の形状及び高さと略同じであることによって、前記第１の支持部分１０と前記第２の支持部分２０とが並置される場合、前記第１の脚部１１と前記第２の脚部２１、前記第１の連結部１３と前記第２の連結部２３は互いに位置を合わせることができる。
【００５１】
前記第２の支持板２２は第２の配置部２２１を含み、前記第２の配置部２２１は前記第２の脚部２１の底面に対して予め設定された角度傾斜し、即ち、前記第２の支持部分２０が平面上に設置される場合、前記第２の配置部２２１は前記平面に対して前記予め設定された角度傾斜する。前記第２の配置部２２１には第１の位置決め構造２２２及び第２の位置決め構造２２３が設けられている。前記第１の位置決め構造２２２は前記第２の連結部２３に近接して設置され、前記第２の位置決め構造２２３は前記情報表示部２４に近接して設置されている。
【００５２】
前記第１の位置決め構造２２２及び前記第２の位置決め構造２２３は、前記展示される物品の分離可能な部分を配置するために用いられる。本実施形態において、前記第１の位置決め構造２２２は、無人航空機の前記携帯端末を配置しかつ前記携帯端末を第２の展示高さで支持するために用いられる。前記第２の展示高さは、前記第２の支持部分２０上の前記携帯端末に対して参観、操作することに適する高さである。前記第２の位置決め構造２２３は、航空機の前記リモートコントローラを配置しかつ前記リモートコントローラを第３の展示高さで支持するために用いられる。前記第３の展示高さは、前記第２の支持部分２０上の前記リモートコントローラに対して参観、操作することに適する高さである。なお、前記第２の支持部分２０は、前記携帯端末を第３の展示高さで、前記リモートコントローラを第２の展示高さで支持してもよい。
【００５３】
前記第２の支持部分２０における前記第２の位置決め構造２２３の設置高さは、前記第２の支持部分２０における前記第１の位置決め構造２２２の設置高さより高い。本実施形態において、前記第２の支持部分２０における前記第１の位置決め構造２２２の設置高さは、９０ｃｍ〜１０５ｃｍの間にある。前記第２の支持部分２０における前記第２の位置決め構造２２３の設置高さは、１００ｃｍ〜１１５ｃｍの間にあり、これに対応して、前記第２の位置決め構造２２３は携帯端末を１００ｃｍ〜１１５ｃｍの展示高さの範囲内に支持することができる。好ましくは、前記第２の位置決め構造２２３は前記携帯端末を前記航空機本体と同じ展示高さで支持することによって、航空機本体及びリモートコントローラに対して同じ視点で操作することを保証できる。
【００５４】
前記第１の位置決め構造２２２は、位置決め部２２２１及び阻止凸部２２２２を含む。前記位置決め孔２２２１は前記携帯端末を前記第２の配置部２２１に設置するように、前記携帯端末と適合することに用いられる。本実施形態において、前記位置決め部２２２１は円形の孔である。なお、前記位置決め孔２２２１はねじ山が内設されたねじ孔であってもよく、または、前記位置決め孔２２２１は角孔、楕円形孔又は三角形孔などであってもよく、またはフック、突起などの他の構造であってもよい。前記阻止凸部２２２２は、前記携帯端末の傾斜を防止しかつ／または前記携帯端末が前記第２の配置部２２１に沿って摺動することを防止するために用いられる。本実施形態において、前記阻止凸部２２２２は棒状バンプである。
【００５５】
前記携帯端末はタブレットコンピュータ、ノートパソコン及びスマートフォンなどであってもよい。
【００５６】
ある実施形態において、前記携帯端末は、前記航空機の撮像装置、飛行装置及び安定化装置の中の少なくとも１つの動作を制御することができる。具体的には、前記携帯端末は、その内部のアプリケーションプログラムまたは携帯端末における機能ボタンにより、航空機本体におけるカメラ、ビデオカメラなどの撮像装置の動き、撮像などを制御し、または、航空機本体における雲台のような安定化装置の動きを制御し、または、航空機の本体の飛行装置例えば各モータの回転速度を制御することができる。これによって、航空機本体における撮像装置、安定化装置及び航空機本体を前記物品展示台において異なる姿勢とするように制御する。
【００５７】
また、前記携帯端末は、前記航空機本体における撮像装置、飛行装置及び安定化装置の中の少なくとも１つの状態及び関連情報を表示及び／または検出するために用いられてもよい。前記携帯端末の表示画面は、前記航空機本体の撮像装置が撮像したピクチャ又はビデオを表示することができ、かつ前記撮像装置の状態、例えば撮像モードなどを表示することができる。前記携帯端末の表示画面はさらに前記航空機本体における安定化装置の回転角度、回転速度などのパラメータを表示することができ、前記航空機本体のモータの回転速度などのパラメータを表示することができる。
【００５８】
前記第２の位置決め構造２２３は、取付ブロック２２３１及び２つの係止フック２２３２を含む。前記取付ブロック２２３１は前記第２の配置部２２１に固定して設置され、前記係止フック２２３２は前記取付ブロック２２３１に固定して設置されている。本実施形態において、前記係止フック２２３２は水平方向に沿って予め設定された距離の間隔をあけている。前記係止フック２２３２は、前記リモートコントローラを保持するために用いられる。前記リモートコントローラは、前記航空機の飛行を制御するために用いられる。
【００５９】
前記リモートコントローラは、赤外線リモートコントローラ、無線周波数リモートコントローラ、又は他の適切なタイプのリモートコントローラであってもよい。前記リモートコントローラは、前記航空機の撮像装置、飛行装置及び安定化装置の少なくとも１つの動作を制御することができる。具体的には、前記リモートコントローラは、航空機本体におけるカメラ、ビデオカメラなどの撮像装置の動き、撮像などを制御しており、または、航空機本体における雲台のような安定化装置の動きを制御しており、または、航空機の本体の飛行装置例えば各モータの回転速度を制御することができる。これによって、航空機本体における撮像装置、安定化装置及び航空機本体を前記物品展示台において異なる姿勢とするように制御する。
【００６０】
なお、前記航空機の制御端末は携帯端末のみ又はリモートコントローラのみを含んでもよく、同時に携帯端末とリモートコントローラを含んでもよい。同時に携帯端末とリモートコントローラを含む場合、前記携帯端末は、前記航空機本体における撮像装置、飛行装置及び安定化装置の中の少なくとも１つの状態を表示及び／または検出するために用いられる。前記リモートコントローラは、前記航空機本体における撮像装置、飛行装置及び安定化装置の中の少なくとも１つの動作を制御するために用いられる。
【００６１】
なお、他の実施形態において、前記第２の位置決め構造２２３は前記取付ブロック２２３１を省略し、前記係止フック２２３２を前記第２の配置部２２１に直接設置してもよい。かつ、前記係止フック２２３２の数は具体的な要求に応じて適切に変更されてもよい。
【００６２】
なお、他の実施形態において、前記携帯端末及び前記リモートコントローラは１つの制御端末として一体化してもよい。この場合、前記制御端末は前記第１の位置決め構造又は前記第２の位置決め構造で支持されてもよく、または、前記第１の位置決め構造及び前記第２の位置決め構造は、前記制御端末を支持する位置決め構造として一体化してもよい。
【００６３】
さらに、前記物品展示台１００は、前記物品展示台１００に光源を提供するための発光部（図示せず）を含んでもよい。前記光源は、光バンド又は点光源であってもよい。本実施形態において、前記発光部は、前記第１の支持部分１０と第２の支持部分２０との間に位置する光バンドである。当然のことながら、前記発光部は、前記航空機本体と制御端末の支持される部位に近接して位置する１つまたは複数の点光源であってもよい。
【００６４】
前記情報表示部２４は、前記展示物品の製品情報、説明及び／又は広告などを表示するために用いられる。前記情報表示部２４は、ホルダ２４１、表示装置２４２、取付枠２４３及び無線通信ユニット２４４を含む。前記ホルダ２４１には取付溝２４１１が設けられ、前記表示装置２４２は前記取付溝２４１１内に設置され、前記取付枠２４３は前記表示装置２４２の周縁に設置され且つ前記ホルダ２４１と連結されている。前記取付枠２４３は弾性材料からなり、前記表示装置２４２が振動によって毀損されることを防止できる。本実施形態において、前記取付枠２４３はゴム材料からなる。前記表示装置２４２の表面は、前記ホルダ２４１の表面に対して予め設定されたサイズで凹ませてもよく、平らな構造を保持するように前記ホルダ２４１の表面に対して同一平面としてもよい。
【００６５】
本実施形態において、前記表示装置２４２が前記第２の支持部分２０に設置される高さは、１５０ｃｍ〜１９０ｃｍの間にある第４の展示高さである。この高さの範囲内において、参観者の大部分の前記表示装置２４２を見る視線と水平線とが成す角度は上方に向かう３０度〜下方に向かう４５度の範囲内にあるため、参観者の大部分は快適な参観体験を得ることができる。
【００６６】
前記無線通信ユニット２４４は前記表示装置２４２と接続され、前記表示装置２４２は前記無線通信ユニット２４４を通じて他の外部装置と情報の受け渡しを行うことができ、前記表示装置２４２の表示内容の切り換えを容易にする。本実施形態において、前記無線通信ユニット２４４は前記表示装置２４２の内部に集積化されている。前記無線通信ユニット２４４は、ローカル・エリア・ネットワーク、広域ネットワーク、赤外線、ラジオ、Ｗｉ−Ｆｉ、２Ｇネットワーク、３Ｇネットワーク、４Ｇネットワーク、５Ｇネットワーク、ポイントツーポイント（Ｐ２Ｐ）ネットワーク、電気通信ネットワーク、クラウドネットワークなどの無線方式で前記表示装置と外部装置外部との間の相互通信を実現する。
【００６７】
更なる実施形態において、前記航空機の前記携帯端末は前記表示装置２４２と情報の受け渡しを行うことができる。具体的に、前記携帯端末は有線方式又は無線方式で（例えば、前記無線通信ユニット２４４により）前記表示装置２４２と情報の受け渡しを行って、前記表示装置２４２のオン／オフ、表示内容の切り換えなどを制御する。
【００６８】
更なる実施形態において、前記航空機のリモートコントローラは前記表示装置２４２を制御することができ、例えば、前記無線通信ユニット２４４により前記表示装置２４２のオン／オフ、表示内容の切り換えなどを制御する。
【００６９】
図３に示すように、本発明の別の１つの実施形態の物品展示台２００は、図１に示された実施形態の物品展示台１００と類似の構造を有している。さらに、前記物品展示台２００の第１の位置決め構造２２２'は枠状構造であり、前記第１の位置決め構造２２２'は携帯端末をその内部に囲んで設ける。本実施形態において、前記第１の位置決め構造２２２'はゴム材料からなり、前記携帯端末が振動によって毀損されることを防止するために用いられる。
【００７０】
前記物品展示台は異なる配置部により、展示される物品の異なる部分を設置するため、前記展示物品の異なる部分の混乱を回避することができ、よりよい展示効果を奏することができる。また、前記物品展示台の第１の支持部分及び第２の支持部分は、展示される物品の分離可能な異なる部分を異なる展示高さで設置して、前記分離可能な部分がそれぞれ最適な展示高さを得ることができるため、参観者に良好的な参観、操作体験を提供することができる。
【００７１】
なお、当業者は、本発明の技術効果から逸脱せずに、本発明の精神の範囲内で他の変形を行って本発明の設計に用いることができる。本発明の精神に基づき行われたこれらの変形は、いずれも本発明の保護範囲内に含まれるものである。
【図１】
2017508543.tif 000003
【図２】
2017508543.tif 000004
【図３】
2017508543.tif 000005
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
航空機本体及び制御端末を含む航空機を展示するための物品展示台であって、
前記物品展示台は前記航空機本体を支持する第１の支持部分と、
前記制御端末を支持する第２の支持部分と、を備える
ことを特徴とする物品展示台。
【請求項２】
前記第１の支持部分は、前記航空機本体を第１の展示高さで支持する第１の配置部を含む
ことを特徴とする請求項１に記載の物品展示台。
【請求項３】
前記第２の支持部分は、前記制御端末を第２の展示高さで支持する第２の配置部を含む、
ことを特徴とする請求項２に記載の物品展示台。
【請求項４】
前記第２の展示高さは第１の展示高さと異なる
ことを特徴とする請求項３に記載の物品展示台。
【請求項５】
前記第２の展示高さは第１の展示高さと等しい
ことを特徴とする請求項３に記載の物品展示台。
【請求項６】
前記制御端末は、前記航空機本体における撮像装置、飛行装置及び安定化装置の中の少なくとも１つの動作を制御する携帯端末を含む
ことを特徴とする請求項３に記載の物品展示台。
【請求項７】
前記制御端末は、前記航空機本体における撮像装置、飛行装置及び安定化装置の中の少なくとも１つの状態及び関連情報を表示及びは検出することを少なくとも１つ対応する携帯端末を含む
ことを特徴とする請求項３に記載の物品展示台。
【請求項８】
前記第２の配置部は、前記携帯端末を第２の展示高さで支持するための第１の位置決め構造を含む
ことを特徴とする請求項６または７に記載の物品展示台。
【請求項９】
前記第２の配置部は第２の位置決め構造をさらに含み、前記第２の位置決め構造は第１の位置決め構造より高い
ことを特徴とする請求項６または７に記載の物品展示台。
【請求項１０】
前記携帯端末は前記第２の位置決め構造で支持される
ことを特徴とする請求項９に記載の物品展示台。
【請求項１１】
前記制御端末は、前記航空機本体における撮像装置、飛行装置及び安定化装置の中の少なくとも１つの動作を制御するためのリモートコントローラを含む
ことを特徴とする請求項３に記載の物品展示台。
【請求項１２】
前記第２の配置部は第２の位置決め構造をさらに含み、前記第２の位置決め構造は第１の位置決め構造より高い
ことを特徴とする請求項１１に記載の物品展示台。
【請求項１３】
前記リモートコントローラは前記第２の位置決め構造で支持される
ことを特徴とする請求項１２に記載の物品展示台。
【請求項１４】
前記制御端末は、携帯端末とリモートコントローラとを含み、
前記携帯端末は、前記航空機本体における撮像装置、飛行装置及び安定化装置の中の少なくとも１つの状態を表示及び検出することのうち少なくとも１つのために用いられており、
前記リモートコントローラは、前記航空機本体における撮像装置、飛行装置及び安定化装置の中の少なくとも１つの動作を制御するために用いられる
ことを特徴とする請求項３に記載の物品展示台。
【請求項１５】
前記第２の支持部分は、第１の位置決め構造と第２の位置決め構造を含み、
前記第１の位置決め構造は携帯端末とリモートコントローラの中の１つを支持し、前記第２の位置決め構造は携帯端末とリモートコントローラの中の他の１つを支持する
ことを特徴とする請求項１４に記載の物品展示台。
【請求項１６】
前記展示台は情報表示部をさらに含み、前記情報表示部は前記第２の支持部分上に位置する
ことを特徴とする請求項３乃至請求項１５いずれか一項に記載の物品展示台。
【請求項１７】
前記情報表示部は、ホルダと前記ホルダにより支持される表示装置とを含む
ことを特徴とする請求項１６に記載の物品展示台。
【請求項１８】
前記制御端末はさらに前記表示装置を制御するために用いられる
ことを特徴とする請求項１７に記載の物品展示台。
【請求項１９】
前記表示装置の第４の展示高さは前記第２の展示高さより高い
ことを特徴とする請求項１７に記載の物品展示台。
【請求項２０】
前記情報表示部は、表示装置に接続される無線通信ユニットを含み、前記表示装置は前記無線通信ユニットにより外部装置と情報の受け渡しを行うことを特徴とする請求項１６乃至請求項１９のいずれか一項に記載の物品展示台。
【請求項２１】
前記展示台は発光部をさらに含み、前記発光部は前記展示台に必要な光源である
ことを特徴とする請求項１乃至請求項２０のいずれか一項に記載の物品展示台。
【請求項２２】
前記発光部は光バンドであり、前記第１の支持部分と第２の支持部分との間に位置する
ことを特徴とする請求項２１に記載の物品展示台。
【請求項２３】
前記発光部は少なくとも１つの光源であり、前記少なくとも１つの光源は、前記航空機本体と制御端末の支持される部位に近接して位置する
ことを特徴とする請求項２１に記載の物品展示台。
【請求項２４】
前記第１の支持部分は、底部に位置する第１の脚部と、最上部に位置する第１の支持板と、前記第１の脚部及び前記第１の支持板を連結する第１の連結部とを含み、第１の配置面は前記第１の支持板の表面である
ことを特徴とする請求項１乃至請求項２３のいずれか一項に記載の物品展示台。
【請求項２５】
前記第１の脚部「匚」字形、「Ｃ」字形、「Σ」字形又は「Π」字形をなす
ことを特徴とする請求項２４に記載の物品展示台。
【請求項２６】
前記第２の支持部分は、底部に位置する第２の脚部と、第２の支持板と、前記第２の脚部及び前記第２の支持板を連結する第２の連結部とを含み、第２の配置部は前記第２の支持板の表面である
ことを特徴とする請求項１乃至請求項２５のいずれか一項に記載の物品展示台。
【請求項２７】
前記第２の配置部は、前記第２の脚部の底面に対して予め設定された角度傾斜している
ことを特徴とする請求項２６に記載の物品展示台。
【請求項２８】
前記第１の位置決め構造は位置決め部及び阻止凸部を含み、
前記位置決め部は、前記携帯端末と協働して、前記携帯端末を前記第２の配置部に設置するために用いられ、前記阻止凸部は、前記携帯端末の傾斜を防止しかつ／又は前記携帯端末が前記第２の配置部に沿って摺動することを防止するために用いられており、
または、前記物品展示台の第１の位置決め構造は枠状構造であり、前記第１の位置決め構造は携帯端末をその内部に囲んで設ける
ことを特徴とする請求項８に記載の物品展示台。
【請求項２９】
前記第２の位置決め構造は取付ブロック及び複数の係止フックを含み、
前記取付ブロックは前記第２の配置部に固定して設置され、前記係止フックは前記取付ブロックに固定して設置され、リモートコントローラを保持するために用いられる
ことを特徴とする請求項９に記載の物品展示台。
【請求項３０】
複数の分離可能な部分により構成される展示される物品を展示するための物品展示台であって、第１の支持部分と第２の支持部分を含み、
前記第１の支持部分は、第１の配置部を含み、前記第１の配置部は前記分離可能な部分の中の少なくとも１つを第１の展示高さで支持するために用いられており、
前記第２の支持部分は、第２の配置部を含み、前記第２の配置部は、前記分離可能な部分の少なくとも別の１つを第２の展示高さで支持するために用いられる
ことを特徴とする物品展示台。
【請求項３１】
前記第１の展示高さは前記第２の展示高さと異なる
ことを特徴とする請求項３０に記載の物品展示台。
【手続補正２】
【補正対象書類名】図面
【補正対象項目名】図１
【補正方法】変更
【補正の内容】
【図１】
2017508543.tif 000006
【国際調査報告】
2017508543.tif 000007
2017508543.tif 000008
2017508543.tif 000009
2017508543.tif 000010